(57)【要約】      （修正有）【課題】光コネクタが光アダプタに挿入され、光コネクタのロックレバーの係止部が光アダプタの係止孔に係合しロックされた状態において、光コネクタに意図しない強制的引き抜き作用が働いたり、光コネクタの周囲から障害物がロックレバーに不用意に圧接したりした場合でも前記係止部が下方に撓んでしまうのを防止でき、光アダプタからの光コネクタの不用意な抜去を未然に防止する。【解決手段】タブ１１とスライドカバー２間に、タブがスライドカバーの後方へ引っ張った部位に位置しているとき係合してスライドカバーに対してタブの回転が阻止され、タブを前方に押し込んだ部位に位置しているときスライドカバーに対してタブの係合が外れて、タブが回転するようタブの回転阻止機構Ｇを備えて成る。【選択図】図１
2020134907.tif 000002
【特許請求の範囲】
【請求項１】
フェルールが各保持された左右一対のフェルールハウジングと、該左右一対のフェルールハウジングに装着されるスライドカバーと、前記左右一対のフェルールハウジングで挟むようにスライドカバーの中央に形成されたタブスライドガイド孔と、該タブスライドガイド孔の上部壁面にコネクタ挿抜方向に平行となって片持支持された状態で上下方向へ弾性変形可能となしたロックレバーと、前記スライドカバーの後方側からタブスライドガイド孔に挿入された回転操作可能なタブと、前記タブ先端に係止作動部が形成され、当該タブを左右何れかの方向に回転させることで、ロックレバーの動きを前記タブの係止作動部によって制限可能に形成した光コネクタであって、前記タブと前記スライドカバー間に、前記タブが前記スライドカバーの後方へ引っ張った部位に位置しているとき係合して前記スライドカバーに対して前記タブの回転が阻止され、前記タブを前方に押し込んだ部位に位置しているとき前記スライドカバーに対して前記タブの係合が外れて、当該タブが回転するようタブの回転阻止機構を備えたことを特徴とする光コネクタ。
【請求項２】
前記回転阻止機構は、前記タブの外周に所定の間隔を置いて複数個の係止突起を各突設し、該係止突起間に係止凹部を各設けるとともに、前記フェルールハウジングのタブスライドガイド孔面側に、前記タブが後方に位置しているとき前記タブの係止凹部に係合し、前記タブが前方の押し込み部位に位置しているとき、前記タブの係止凹部から外れるよう回転阻止用突起を形成したものであることを特徴とする請求項１記載の光コネクタ。
【請求項３】
前記タブの係止作動部は、正面視で矩形、長円形、楕円形、小判型のいずれかの形状を呈していることを特徴とする請求項１記載の光コネクタ。
【請求項４】
前記タブの係止作動部の長手方向両側辺の中央には凸部が各形成されており、当該タブを回転させることで、前記タブスライドガイド孔の中央下部内壁面に形成された下側凹条部に一方辺側の凸部が係合され、前記下側凹条部に対向する前記ロックレバーの下面に形成された上側凹条部に他方辺側の凸部が係合されることを特徴とする請求項１または３記載の光コネクタ。
【請求項５】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成したことを特徴とする請求項１乃至４のいずれか記載の光コネクタ。
【発明の詳細な説明】
【技術分野】
【０００１】
本発明は、タブの操作により光アダプタに対する光コネクタプラグの係脱を可能にした光コネクタに関する。
【背景技術】
【０００２】
従来、光コネクタの例えば上部壁面には、弾性変形（復帰）可能なフックアーム状の後述するロックレバー、係止アーム等がコネクタ挿抜方向に平行にして配されており、この係止部が光アダプタの係止孔に係合することで、光アダプタに対する光コネクタの不用意な抜脱が防止されている。この係止部は、光コネクタに装着される後述するスライドシャフト、ロック解除部材、係止解除操作アーム等の引き出し操作を介して下方に移動し、光アダプタに対するロックが解除され、光アダプタから光コネクタが抜去される構成となっている。
【０００３】
具体的には特許文献１に示すように、コネクタ本体内に移動可能に挿入されて、コネクタ本体内に挿入された部分に係合溝を有し、指掛け部が光コネクタの外側に突出したスライドシャフトと、前記コネクタ本体内に回転可能に支持されて、ロック爪と、前記スライドシャフトの係合溝に挿入される操作用突出部を設けたロックレバーと、前記コネクタ本体、スライドシャフトならびにロックレバーを覆うように前記コネクタ本体に装着されるカバーを備え、前記ロックレバーがスライドシャフトとカバーの間に介在され、光コネクタを相手側のソケットに装着した状態で、前記ロック爪が前記光コネクタから突出して、前記ソケットに設けられているロック部と係合し、前記指掛け部を引くと、スライドシャフトの移動に伴って前記係合溝の側面が前記操作用突出部に当接し、さらに前記スライドシャフトを引っ張ると前記ロックレバーが回転軸を中心にして回転して、前記ロック爪が前記ロック部から外れる構成による光コネクタが公知である。
【０００４】
また、特許文献２に示すように、ロックレバーに設けられるロック用の爪部とロック解除用操作部と、上下方向において前記爪部が突設された外側上方向と逆にして内側下方向に突出され垂設された係止部が設けられ、ロック解除部材が、光コネクタの本体部の上下左右方向のうち少なくとも一方向における幅寸法内に位置して設けられ、該ロック解除部材の先端部が、抜去方向に引かれた時に前記ロックレバーの係止部に係合して当該ロックレバーをロック解除方向に弾性変形させるように形成されているコネクタのロック解除構造が公知である。
【０００５】
さらに、特許文献３に示すように、相手部品に挿入される本体の、相手部品に挿入される部分よりも嵌合方向後方に後端が固定されて、該嵌合方向前方に、前記相手部品に挿入される位置まで片持ち梁状に延び、先端部に、外向きに立ち上がって該相手部品に係止する係止突起を有する係止アームと、前記係止アームの先端から、前記外向きとは逆向きに延び、さらに該係止アームとは離間したまま該係止アームに沿って、前記嵌合方向後方に、前記本体から後方に突出する位置まで延び、該後方に引く操作を受けて前記係止アームを前記逆向きに撓ませることにより前記係止突起による前記相手部品への係止を解除させる係止解除操作アームとを備えたコネクタが公知である。
【先行技術文献】
【特許文献】
【０００６】
【特許文献１】特許第４６３０９２４号公報
【特許文献２】特許第４８４３００６号公報
【特許文献３】特許第６００６５７５号公報
【発明の概要】
【発明が解決しようとする課題】
【０００７】
しかしながら、前記した特許文献１によれば、スライドシャフトを引っ張るとロックレバーが回転軸を中心にして回転しロック爪がロック部から外れる構成となっていることから、ロック爪の下部側には隙間が常に存在する。このため光コネクタに意図しない強制的引き抜き作用が働いたり、光コネクタの周囲から障害物が不用意にロック爪に圧接したりした際には、ロックレバーが回転軸を中心にして回転しロック爪がロック部から容易に外れてしまう虞がある。
【０００８】
また、前記した特許文献２によれば、ロック解除部材の先端部が、抜去方向に引かれた時にロックレバーの係止部に係合して当該ロックレバーをロック解除方向に弾性変形させるため、前記ロックレバーの係止部はロック解除部材の係止孔において下方へ移動可能な隙間が常に存在する。このため光コネクタに意図しない強制的引き抜き作用が働いたり、光コネクタの周囲から障害物が不用意にロックレバーのロック解除用操作部に圧接したりした際には、ロックレバーが下方に撓んでロック解除用操作部がアダプタの係止孔から容易に外れてしまう虞がある。
【０００９】
さらに、前記した特許文献３によれば、係止アームから係止解除操作アームが折り返し状に一体形成され、当該係止解除操作アームにより後方に引く操作を受けて係止アームを逆向きに撓ませることから、係止解除操作アーム（係止アーム）の下部側には撓み動作を許容するための隙間が常に存在する。このため光コネクタに意図しない強制的引き抜き作用が働いたり、光コネクタの周囲から障害物が不用意に係止アームに圧接したりした際には当該係止アームが下方に撓んでアダプタの係止孔から容易に外れてしまう虞がある。
【００１０】
そこで、本発明は、叙上のような従来存した諸事情に鑑み案出されたもので、光コネクタが光アダプタに挿入され、光コネクタのロックレバーの係止部が光アダプタの係止孔に係合しロックされた状態において、光コネクタに意図しない強制的引き抜き作用が働いたり、光コネクタの周囲から障害物がロックレバーに不用意に圧接したりした場合でも前記係止部が下方に撓んでしまうのを防止でき、光アダプタからの光コネクタの不用意な抜去を未然に防止できるものとした光コネクタを提供することを目的とする。
【課題を解決するための手段】
【００１１】
上述した課題を解決するために、本発明にあっては、フェルールが各保持された左右一対のフェルールハウジングと、該左右一対のフェルールハウジングに装着されるスライドカバーと、前記左右一対のフェルールハウジングで挟むようにスライドカバーの中央に形成されたタブスライドガイド孔と、該タブスライドガイド孔の上部壁面にコネクタ挿抜方向に平行となって片持支持された状態で上下方向へ弾性変形可能となしたロックレバーと、前記スライドカバーの後方側からタブスライドガイド孔に挿入された回転操作可能なタブと、前記タブ先端に係止作動部が形成され、当該タブを左右何れかの方向に回転させることで、ロックレバーの動きを前記タブの係止作動部によって制限可能に形成した光コネクタであって、前記タブと前記スライドカバー間に、前記タブが前記スライドカバーの後方へ引っ張った部位に位置しているとき係合して前記スライドカバーに対して前記タブの回転が阻止され、前記タブを前方に押し込んだ部位に位置しているとき前記スライドカバーに対して前記タブの係合が外れて、当該タブが回転するようタブの回転阻止機構を備えたことを特徴とする。
【００１２】
前記回転阻止機構は、前記タブの外周に所定の間隔を置いて複数個の係止突起を各突設し、該係止突起間に係止凹部を各設けるとともに、前記フェルールハウジングのタブスライドガイド孔面側に、前記タブが後方に位置しているとき前記タブの係止凹部に係合し、前記タブが前方の押し込み部位に位置しているとき、前記タブの係止凹部から外れるよう回転阻止用突起を形成したものであることを特徴とする。
【００１３】
前記タブの係止作動部は、正面視で矩形、長円形、楕円形、小判型のいずれかの形状を呈していることを特徴とする。
【００１４】
前記タブの係止作動部の長手方向両側辺の中央には凸部が各形成されており、当該タブを回転させることで、前記タブスライドガイド孔の中央下部内壁面に形成された下側凹条部に一方辺側の凸部が係合され、前記下側凹条部に対向する前記ロックレバーの下面に形成された上側凹条部に他方辺側の凸部が係合されることを特徴とする。
【００１５】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成したことを特徴とする。
【発明の効果】
【００１６】
本発明によれば、光コネクタが光アダプタに挿入され、光コネクタのロックレバーの係止部が光アダプタの係止孔に係合しロックされた状態において、光コネクタに意図しない強制的引き抜き作用が働いたり、光コネクタの周囲から障害物がロックレバーに不用意に圧接したりした場合でも前記係止部が下方に撓んでしまうのを防止でき、光アダプタからの光コネクタの不用意な抜去を未然に防止できる。
【００１７】
すなわち、本発明によれば、前記タブが前記スライドカバーのフェルールハウジングのタブスライドガイド孔後方へ引っ張った部位に位置しているとき係合して、前記スライドカバーのスライドガイド孔に対して前記タブの回転が阻止され、前記タブを前方に押し込んだ部位に位置しているとき前記スライドカバーのスライドガイド孔に対して前記タブの係合が外れて、当該タブが回転するようタブの回転阻止機構を備えたので、従来ではタブがスライドカバーのスライドガイド孔前後との部位に位置していても回転できるようになっていたが、本発明ではタブを押した状態でのみ回転させることができ、当該タブをある方向に合わせて引っ張ることで容易に抜脱することができる。したがって、光コネクタに意図しない強制的引き抜き作用が働いたり、光コネクタの周囲から障害物がロックレバーに不用意に圧接したりした場合でも前記係止部が下方に撓んでしまうのを防止することができる。
【００１８】
ここにおいて、前記回転阻止機構は、前記タブの外周に所定の間隔を置いて複数個の係止突起を各突設し、該係止突起間に係止凹部を各設けるとともに、前記スライトカバーのフェルールハウジングのタブスライドガイド孔面側に、前記タブが後方に位置しているとき前記タブの係止凹部に係合し、前記タブが前方の押し込み部位に位置しているとき、前記タブの係止凹部から外れるよう回転阻止用突起を形成したものなので、光アダプタからの光コネクタの不用意な抜去を未然に防止することができる。
【００１９】
前記タブの係止作動部は、正面視で矩形、長円形、楕円形、小判型のいずれかの形状を呈しているので、前記係止作動部の長手方向が垂直となるようにタブを左右何れかに回転させるだけで、ロックレバーの動きを容易に制限することができる。
【００２０】
前記タブの係止作動部の長手方向両側辺の中央には凸部が各形成されており、当該タブを回転させることで、前記タブスライドガイド孔の下部内壁面に形成された下側凹条部に一方辺側の凸部が係合され、前記下側凹条部に対向する前記ロックレバーの下面に形成された上側凹条部に他方辺側の凸部が係合されるものとしたので、前記ロックレバーの動きを前記タブの係止作動部によって確実に制限することができる。しかも、前記タブの係止作動部両側の凸部が例えば「カチッ」という嵌合音を発しつつ各係合するので、前記ロックレバーが下方へ撓曲不可なロック状態となったことを確実に知ることができる。
【００２１】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成したので、例えば取っ手の窪み部または凸状部が上方に向けられているかまたは側方に向けられているかした場合には、ロックレバーは下方へ撓曲自在なロック解除状態（非ロック状態）となっているか、あるいはロックレバーは下方へ撓曲不可なロック状態となっているかを容易に知ることができる。
【図面の簡単な説明】
【００２２】
【図１】本発明を実施するための一形態を示す光コネクタからタブが分離されている状態の斜視図である。
【図２】光コネクタの平面図である。
【図３】図２中、Ａ−Ａ断面図である。
【図４】光コネクタを中央部分で切断した状態の斜視図である。
【図５】光コネクタの前面図である。
【図６】光コネクタの後面図である。
【図７】タブの全容を示し、（ａ）は側面図、（ｂ）は９０度回転した状態の側面図、（ｃ）は１８０度回転した状態の側面図、（ｄ）は２７０度回転した状態の側面図である。
【図８】光コネクタへのタブの組立後の状態を示す平面図である。
【図９】図８中、Ｂ−Ｂ断面図である。
【図１０】光コネクタへのタブの組立後の状態を斜め前方から視た斜視図である。
【図１１】光コネクタへのタブの組立後の状態を斜め後方から視た斜視図である。
【図１２】光コネクタへのタブの組立後の状態の前面図であり、（ａ）はタブが非ロック（ロック解除）方向に回転している場合の前面図、（ｂ）はタブがロック方向に回転した場合の前面図である。
【図１３】光アダプタに光コネクタを接続する前の状態を示し、（ａ）は平面図、（ｂ）は図１３（ａ）のＣ−Ｃ断面図である。
【図１４】光アダプタに光コネクタを接続した後の状態を示し、（ａ）は平面図、（ｂ）は図１４（ａ）のＤ−Ｄ断面図である。
【図１５】回転阻止機構の全容を示し、（ａ）は回転阻止状態の断面図、（ｂ）は回転阻止解除状態の断面図である。
【発明を実施するための形態】
【００２３】
以下、図面を参照して本発明に係る光コネクタの実施の一形態を詳細に説明する。本発明に係る光コネクタ１は、後述するタブ１１の操作により光アダプタＱに対する係脱を可能とした機構となっている。
【００２４】
すなわち、図１乃至図６、図８乃至図１４に示すように、光コネクタ１は、フェルールＦが各保持された左右一対の角筒状のフェルールハウジングＦＨと、該フェルールハウジングＦＨに外部から装着される横長矩形状のスライドカバー２とによって形成されている。尚、前記スライドカバー２の左右側壁面に湾曲凹状の摘み部２Ａを備え且つ後端にフランジ部２Ｂを備えている。
【００２５】
また、前記左右一対のフェルールハウジングＦＨで挟むようにスライドカバー２の中央にはタブスライドガイド孔３が形成されており、該タブスライドガイド孔３の上部壁面には、弾性変形（復帰）可能なフックアーム状のロックレバー４が、コネクタ挿抜方向に平行に片持支持された状態となって構成されている。すなわち、前記スライドカバー２の中央位置に所定の間隔（ロックレバーの横幅）を置いて前記左右一対のフェルールハウジングＦＨ間に設けられたタブスライドガイド孔３の両端側と前端が各連通され、且つ後述する押圧突起６の後方で閉鎖される２本一対のスリット４ａを設けることによって上下方向へ撓曲自在の前記ロックレバー４は形成される。尚、前記タブスライドガイド孔３の中央下部は開放部分１９となっている。
【００２６】
前記ロックレバー４の先端側上面には、光アダプタＱの係止孔ＱＡ（図１３、図１４参照）に係合する前方傾斜面５ａを備えたフック爪状の係止部５が上方に向けて突出形成され、当該ロックレバー４の長手方向略中間には、手押操作によって光アダプタＱの係止孔ＱＡから係止部５を離脱解除するための平面視矩形状の押圧突起６が上方に向けて突出形成されている。この押圧突起６と係止部５との間の凹所４ｂに、前記光アダプタＱの挿入開口部ＱＢの開口端縁と、係止孔ＱＡの挿入開口部ＱＢ側の孔縁との間の狭幅部分が嵌合するものとなっている（図１４参照）。尚、この押圧突起６の上面には、図示の如く三角波形状の滑り止め溝が形成されている。
【００２７】
また、前記ロックレバー４の幅方向両側には、後端側に前傾テーパ面７Ａを有する略直角三角形の係止突部７（図３、図４、図５、図６、図９、図１２参照）が下方に向けて対向形成されており、該係止突部７の下端は、正面視でＬ字状となるタブ１１の脱落防止部７Ｂとなっている。そして、前記係止突部７の間には、前記タブスライドガイド孔３に挿入される後述するタブ１１先端の係止作動部１５後方に備えた小径のネック部１４が挟持されつつ摺接するものとなっている。これによって左右一対の前記係止突部７、７は、前記タブ１１が前記タブスライドガイド孔３の中央下部の開放部分１９に落下するのを防止するタブホルダーの役割をも兼用し得るようになっている。因みに、図３、図４中、左右一対の係止突部７のうち片側一方のみが見えている状態となっている。
【００２８】
前記タブスライドガイド孔３の中央下部内壁面にはタブ１１挿入方向に沿って下側凹条部８が形成され、一方前記下側凹条部８に対向して前記ロックレバー４の下面にはタブ１１挿入方向に沿って上側凹条部９が形成されている。これら両凹条部８、９は、タブスライドガイド孔３に挿入されるタブ１１先端の係止作動部１５両側に備えた凸部１５ａ、１５ｂが各係合するものである（図１２（ｂ）参照）。
【００２９】
すなわち、前記タブ１１は、図１、図７、図１２、図１３、図１４に示すように、円柱ロッド状の作動棒１２の後端側に大径の取っ手１３を備え、前記作動棒１２の先端側には小径の既述ネック部１４を介して正面視で例えば矩形、長円形、楕円形、小判型等の係止作動部１５を備え、長軸方向には前記凸部１５ａ、１５ｂが形成され、一方短軸方向には当該凸部１５ａ、１５ｂよりも短い支持部１５ｃ、１５ｄが形成されている。
【００３０】
而して、前記作動棒１２の略中間には外周に所定の間隔を置いて複数個（本実施形態では４個）の係止突起１６が各突設され、これによって前記係止突起１６の間に同数の係止凹部１６ａが凹設される。
【００３１】
また、前記スライドカバー２のタブスライドガイド孔３の内奥部上壁には左右一対の回転阻止用突起１８が各形成され、前記タブ１１が前記タブスライドガイド孔３の後方に位置しているときは当該タブ１１の前記係止凹部１６ａに回転阻止用突起１８が係合し、前記タブ１１が前記タブスライドガイド孔３の前方の押し込み部位に位置しているときは、前記タブ１１の係止凹部１６ａから回転阻止用突起１８は外れるようになっている。
【００３２】
これら回転阻止用突起１８および係止突起１６（係止凹部１６ａ）によって、タブ１１の回転阻止機構Ｇが形成されている（図１２、図１３、図１４、図１５参照）。
【００３３】
尚、本実施形態では、前記係止突起１６はタブ１１の外周に４個が設けられ、該各係止突起１６間に４個の係止凹部１６ａが設けられているが、これに限定されない。例えば、上下両側に２個あるいは左右両側に２個設けるだけでも良い。
【００３４】
また、本実施形態では、これに応じて前記スライドカバー２のタブスライドガイド孔３の回転阻止用突起１８も当該タブスライドガイド孔３の内部上方両側に２個設けているが、下方両側でも左右両側でも良い。要するに前記回転阻止用突起１８がタブ１１の係止凹部１６ａに係止してタブ１１の回転が阻止されれば足りる。
【００３５】
前記タブ１１前方のネック部１４は前記ロックレバー４前方に垂設された左右一対の係止突部７（タブホルダー兼用）に挟持されるようにして摺接保持され、さらに既述した如く前記係止作動部１５の長手方向両側辺の中央には凸部１５ａ、１５ｂが各形成されており、後端の取っ手１３を手で摘んでタブ１１を回転させることで、前記タブスライドガイド孔３の中央下部内壁面の下側凹条部８に一方辺側の凸部１５ａ（または１５ｂ）が係合され、下側凹条部８に対向する前記ロックレバー４の下面の上側凹条部９に他方辺側の凸部１５ｂ（または１５ａ）が係合されるものとなっている（図１２（ｂ）参照）。
【００３６】
また、前記取っ手１３の上部位置には矩形平面状の浅底の窪み部１７が形成されており、下部位置はフラットな平面部１７Ａとなっている。この平面部１７Ａに例えばコネクタコード情報、識別ナンバー、コードネーム等が記載されたシール（図示せず）が貼着される。一方、前記窪み部１７は、タブ１１の回転による前記係止作動部１５の姿勢が縦横どのような位置であるかを示す指示部として機能するようになっている。尚、前記指示部として機能する窪み部１７は凸状部（図示しない）に形成しても良い。
【００３７】
さらに、本実施形態では、例えば取っ手１３の窪み部１７（または凸状部）が上方（下方）に向けられている場合には、タブ１１先端の前記係止作動部１５の長さ方向が水平位置に向けられた状態となるように設定されている（図１２（ａ）参照）。また、取っ手１３の窪み部１７（または凸状部）が左右側方に向けられている場合には、タブ１１先端の前記係止作動部１５の長さ方向が垂直に向けられた状態となるように設定されている（図１２（ｂ）参照）。
【００３８】
図７、図１２、図１３、図１４、図１５に示すように、いったんタブ１１を前方に押し込むことで、回転阻止用突起１８から係止突起１６を前方へ離脱させ、前記取っ手１３の一方の窪み部１７（または凸状部）が上方に向けられている状態から、当該取っ手１３を角度９０°だけ左右何れかの方向に回転させる、こうすることで、前記タブ１１先端の前記係止作動部１５の長さ方向が水平位置から垂直位置に向けられる。例えば、前記タブ１１の係止作動部１５の長さ方向が水平位置に向けられている場合には、当該タブ１１の係止作動部１５と前記ロックレバー４の係止部５との間に隙間が生じ、当該ロックレバー４は下方へ撓曲自在となる。このため押圧突起６の手押操作によって光アダプタＱの係止孔ＱＡからロックレバー４の係止部５が解除されるロック解除状態となり、光アダプタＱからの光コネクタ１の抜去が可能となる。
【００３９】
一方、前記タブ１１の係止作動部１５の長さ方向が垂直位置に向けられている場合には、前記ロックレバー４の係止部５下面にタブ１１の係止作動部１５が当接し、前記タブスライドガイド孔３の下側凹条部８と、前記ロックレバー４の上側凹条部９に、前記タブ１１の係止作動部１５両側の凸部１５ａ、１５ｂが「カチッ」という音を発しつつ各係合することでロックレバー４は下方へ撓曲不可となる。このためロックレバー４の係止部５の動きがタブ１１の係止作動部１５によって阻止され、押圧突起６を手押操作しても光アダプタＱの係止孔ＱＡからロックレバー４の係止部５が解除できないロック状態となり、光アダプタＱからの光コネクタ１の抜去が不可能となる。
【００４０】
また、前記タブ１１の係止作動部１５とロックレバー４の係止部５との間に隙間が生じたロック解除状態において、前記取っ手１３を介してタブ１１を後方へ引き抜くと、前記ロックレバー４の幅方向左右両側にある係止突部７の垂直前部にタブ１１の係止作動部１５が引っ掛かり（図１３（ｂ）参照）、ロックレバー４の係止部５にモーメントが作用して当該係止部５は下方に撓曲移動する。これによって光アダプタＱから光コネクタ１が容易に外せる。
【００４１】
次に、以上のように構成された形態についての使用・動作の一例について説明する。
【００４２】
先ず、前記光コネクタ１にタブ１１を取付ける場合には、当該タブ１１の取っ手１３を手に持って、光コネクタ１の後方からタブスライドガイド孔３にタブ１１の係止作動部１５側先端を挿入する。因みに、このとき、いったん係止作動部１５は狭小の前記係止突部７間を通過するため両端の凸部１５ａ、１５ｂは上下側に向けられる。
【００４３】
そして、前記タブ１１の挿入後には、前記ネック部１４は前記左右一対の係止突部７に挟持されるようにして摺接保持される。すなわち、係止突部７の下端の脱落防止部７Ｂによって下方（解放部分１９）への脱落を防止させる。
【００４４】
１５（ａ）に示すように、タブ１１の中空円形状の作動棒１２の外周に設けた４個の係止突起１６間に設けられた係止凹部１６ａに前記スライドカバー２のタブスライドガイド孔３の内実部上壁に設けられた左右一対の回転阻止用突起１８が係合し、当該タブ１１の回転を阻止している。
【００４５】
他方、図１５（ｂ）に示すように、前記スライドカバー２に対してタブ１１を前方へ押し込むことで当該タブ１１を前方に移動させて、前記係止凹部１６ａに対する前記スライドカバー２の回転阻止用突起１８の係合を外し、当該タブ１１を回転自在としている。
【００４６】
而して、前記光アダプタＱに光コネクタ１を装着する場合には、いったんタブ１１を前方に押し込むことで、回転阻止用突起１８から係止突起１６（係止凹部１６ａ）を離脱させておき、前記タブ１１の係止作動部１５の長さ方向が水平位置に向けられるよう取っ手１３を左右どちらかに９０°回転させる。このとき、前記取っ手１３の窪み部１７（または凸状部）は上方に向けられている。するとタブ１１の係止作動部１５とロックレバー４の係止部５下面との間に隙間が生じ、当該ロックレバー４は下方へ撓曲自在なロック解除状態（非ロック状態）となる。
【００４７】
図１３に示すように、前記ロック解除状態で光アダプタＱの挿入開口部ＱＢに光コネクタ１のフェルールＦ先端側を装着すると、光アダプタＱの挿入開口部ＱＢの縁部によりロックレバー４の係止部５の前方傾斜面５ａが押されていったん下方へ撓曲し、ロックレバー４の係止部５は自体の弾性復帰力によって光アダプタＱの係止孔ＱＡに係合する。
【００４８】
ついで、図１４に示すように、タブ１１の係止作動部１５の長さ方向が垂直位置に向けられるよう取っ手１３を介してタブ１１を左右どちらかに９０°回転させる。これにより、前記ロックレバー４の係止部５下面にタブ１１の係止作動部１５が当接し、前記タブスライドガイド孔３の下側凹条部８と、前記ロックレバー４の上側凹条部９に前記タブ１１の係止作動部１５両側の凸部１５ａ、１５ｂが「カチッ」という嵌合音を発しつつ各係合することで前記ロックレバー４は下方へ撓曲不可なロック状態となる。
【００４９】
このため前記ロックレバー４の係止部５の下方への動きがタブ１１の係止作動部１５によって阻止され、当該ロックレバー４の押圧突起６を手押操作しても光アダプタＱの係止孔ＱＡからロックレバー４の係止部５が解除できないロック状態となり、前記光アダプタＱからの光コネクタ１の抜去が不可能となる。
【００５０】
前記光アダプタＱから光コネクタ１を抜去する場合には、前記タブ１１の係止作動部１５の長さ方向が水平位置に向けられるよう取っ手１３を左右いずれかに９０°回転させる。すると当該タブ１１の係止作動部１５とロックレバー４の係止部５との間に隙間が生じ、当該ロックレバー４は下方へ撓曲自在となる。
【００５１】
このとき、前記取っ手１３の平面部１７Ａは上方（または下方）に向けられる。このためロックレバー４の押圧突起６の手押操作によって前記光アダプタＱの係止孔ＱＡからロックレバー４の係止部５が離脱可能なロック解除状態となり、光アダプタＱからの光コネクタ１の抜去が可能となる。
【００５２】
このロック解除状態において、前記取っ手１３を介してタブ１１を後方へ引き抜くと、前記ロックレバー４の幅方向左右両側にある、係止突部７にタブ１１の係止作動部１５が引っ掛かり、ロックレバー４の係止部５にモーメントが作用して当該係止部５は下方に撓曲移動する。これによって光アダプタＱから光コネクタ１が容易に外すことができる。
【００５３】
以上説明したように、本実施形態においては、いったんタブ１１を前方に押し込むことで、回転阻止機構Ｇを構成する回転阻止用突起１８から係止突起１６（係止凹部１６ａ）を離脱させておき、前記タブ１１の係止作動部１５の長さ方向が水平位置を保持するよう回転することでロックレバー４に対するロック解除状態となし（図１２（ａ）参照）、前記タブ１１を角度９０°回して前記係止作動部１５の長さ方向が垂直位置を保持するよう回転することでロックレバー４に対するロック状態となすので（図１２（ｂ）参照）、前記タブ１１の後端側に設けられた前記取っ手１３を若干前方に押し込んでから、僅かに回転操作させるだけで前記ロックレバー４に対するロック解除状態とロック状態とを容易且つ瞬時に切り替えることができる。
【符号の説明】
【００５４】
Ｑ              光アダプタ
ＱＡ            係止孔
ＱＢ            挿入開口部
Ｆ              フェルール
ＦＨ            フェルールハウジング
Ｇ              回転阻止機構
１              光コネクタ
２              スライドカバー
２Ａ            摘み部
２Ｂ            フランジ部
３              タブスライドガイド孔
４              ロックレバー
４ａ            スリット
４ｂ            凹所
５              係止部
５ａ            前方傾斜面
６              押圧突起
７              係止突部
７Ａ            前傾テーパ面
７Ｂ            脱落防止部
８              下側凹条部
９              上側凹条部
１１            タブ
１２            作動棒
１３            取っ手
１４            ネック部
１５            係止作動部
１５ａ、１５ｂ  凸部
１５ｃ、１５ｄ  支持部
１６            係止突起
１６ａ          係止凹部
１７            窪み部
１７Ａ          平面部
１８            回転阻止用突起
１９            開放部分
【図１】
2020134907.tif 000003
【図２】
2020134907.tif 000004
【図３】
2020134907.tif 000005
【図４】
2020134907.tif 000006
【図５】
2020134907.tif 000007
【図６】
2020134907.tif 000008
【図７】
2020134907.tif 000009
【図８】
2020134907.tif 000010
【図９】
2020134907.tif 000011
【図１０】
2020134907.tif 000012
【図１１】
2020134907.tif 000013
【図１２】
2020134907.tif 000014
【図１３】
2020134907.tif 000015
【図１４】
2020134907.tif 000016
【図１５】
2020134907.tif 000017